(57)【要約】【課題】  枠体に多数の傾斜ルーバーを配置した通風ルーバーを傾斜地に設置できるようにする。【解決手段】  上下横枠１１に左右及び中間の縦枠１２，１３を回動自在に軸支固定する一方，縦枠固定片３１とブレード固定片３２を直角に備えて平面Ｌ字状としたブレード支持金具３を用いて，その縦枠固定片３１を上記左右及び中間の縦枠１２，１３にリベット止めによって回動自在に軸支固定するとともにブレード固定片３２に各傾斜ブレード２の長手方向端部を固定し，該ブレード支持金具３によって枠体１内に多数の傾斜ブレード２を上下横枠１１間に水平に配置する。傾斜地に支柱１５を用いて通風ルーバーＡを設置すると，枠体１が傾斜地の傾斜に応じて傾斜回動するとともにこれに追従して傾斜ブレード２も傾斜回動して，通風ルーバーＡを違和感なく設置することができる。【選択図】  図４
2008057236.tif 000002
【特許請求の範囲】
【請求項１】
上下横枠に左右縦枠又はこれと中間縦枠を回動自在に軸支固定することによって傾斜回動自在とした矩形枠と，該矩形枠の上記上下横枠間に見込方向に向けて傾斜配置した平行多数の傾斜ブレードと，縦枠固定片及びブレード固定片を平面Ｌ字状に具備して該縦枠固定片を上記左右縦枠又はこれと中間縦枠の見付面又はこれとの平行面にそれぞれ回動自在に軸支固定するととともにブレード固定片を上記傾斜ブレードの長手方向端部の見込面又は見付面にそれぞれ固定して各傾斜ブレードを左右縦枠に支持したブレード支持金具とを備えて，上記傾斜配置した平行多数の傾斜ブレードを上記矩形枠の傾斜回動に追従して同時に傾斜回動自在としてなることを特徴とする通風ルーバー。
【請求項２】
上記上下横枠の見込幅を大，左右縦枠又はこれと中間縦枠の見込幅を小とし，上記縦枠固定片の回動自在の軸支固定を上記左右縦枠又はこれと中間縦枠の見付面において行うことによって，上記傾斜ブレードの見込幅を上下横枠の見込幅と略同等に配置してなることを特徴とする請求項１に記載の通風ルーバー。
【請求項３】
上記傾斜ブレードを，ブレード基板の上下端に撓み防止バーを配置して形成し，上記ブレード支持金具のブレード固定片による傾斜ブレードの固定を，上記上下端の撓み防止バー長手方向端部の上下２箇所に対して行ってなることを特徴とする請求項１又は２に記載の通風ルーバー。
【請求項４】
上記ブレード基板及びその上下端の撓み防止バーを，それぞれ押出成形材を用いたアルミ製又は合成樹脂製とし且つ上記撓み防止バーに上記ブレード固定片のネジ受用のタッピングホールを備えてなることを特徴とする請求項３に記載の通風ルーバー。
【発明の詳細な説明】
【技術分野】
【０００１】
本発明は，支柱によって傾斜地に立設するフェンスや建物の傾斜窓に設置する目隠し等として使用する通風ルーバーに関する。
【背景技術】
【０００２】
この種通風ルーバーとして，本発明者らは，例えば，上下横枠と左右縦枠を枠組みした矩形枠と，該矩形枠の上下横枠間に見込方向に向けて傾斜配置した平行多数の傾斜ブレードを備えることによって，採光性と通風性を有するルーバーを提案済みであり，これによれば傾斜ブレードを，ブレード基板と，その上下端に配置した撓み防止バーとによって幅広フラットのものとするとともに，該ブレード基板を，ポリカーボネート，ＡＳＡ等の合成樹脂を用いて微細ピッチの屈曲を施して目隠し性を備えるように押出成形した半透明のものとし，その上下端にそれぞれ嵌合突条を一体成形した平板状のものとし，撓み防止バーを，剛性に優れるようにアルミ合金を用いて上記嵌合突条と対をなすとともに嵌合後に前後に傾斜することによって相互に密嵌可能とした嵌合凹条を一体成形したブレード基板と同長のバー状のものとし，嵌合突条と嵌合凹条を密嵌することによって，合成樹脂製の平板状であるために，風圧等の外力を受けることによって生じる傾斜ブレードの撓みに起因する騒音の発生を防止して，長期に亘る高いヤング率を確保し得るようにしたものとされ，このとき傾斜ブレードは，該上下の撓み防止バーに一体成形したタッピングホールに左右縦枠（又はこれに設置したアタッチメント）側からそれぞれ傾斜ブレード長手方向に向けてネジを螺入することによってその上下２箇所で固定したものとされる。
【０００３】
【特許文献１】特願２００６−１７８２７９
【発明の開示】
【発明が解決しようとする課題】
【０００４】
この場合，組み立てが簡単になし得て現場作業を可及的に容易化するとともに各ブレードが高いヤング率を備えることによって，ブレードの撓みに起因する騒音の発生を確実に防止し且つ通風機能及び目隠し機能に優れた通風ルーバーを提供することが可能となるが，ブレードは，左右縦枠からブレードの長手方向に向けたネジによって固定したものとされることによって，該通風ルーバーは水平に設置することを前提とするものとされ，これを傾斜地等に設置すれば，通風ルーバーとともにブレードが傾斜することによって違和感を生じて外観を損なうことにならざるを得ない。
【０００５】
本発明はかかる事情に鑑みてなされたもので，その解決課題とするところは，傾斜地等に設置してもブレードが設置角度に応じて傾斜することによって違和感なく外観よく設置しうるようにした通風ルーバーを提供するにある。
【課題を解決するための手段】
【０００６】
上記課題に沿って本発明は，通風ルーバーを，傾斜回動自在の矩形枠と，該矩形枠の縦枠に回動自在に固定することによって上記矩形枠の傾斜回動に追従して同時に傾斜回動自在の多数の傾斜ブレードによって構成するとともに該傾斜ブレードの矩形枠への追従を，平面Ｌ字状をなすように縦枠固定片とブレード固定片を配置したブレード支持金具を用いて，その縦枠固定片を矩形枠の縦枠に対して回動自在に軸支固定し且つブレード固定片に傾斜ブレードを固定して支持する簡易な構造によって行うようにしたものであって，即ち請求項１に記載の発明を，上下横枠に左右縦枠又はこれと中間縦枠を回動自在に軸支固定することによって傾斜回動自在とした矩形枠と，該矩形枠の上記上下横枠間に見込方向に向けて傾斜配置した平行多数の傾斜ブレードと，縦枠固定片及びブレード固定片を平面Ｌ字状に具備して該縦枠固定片を上記左右縦枠又はこれと中間縦枠の見付面又はこれとの平行面にそれぞれ回動自在に軸支固定するととともにブレード固定片を上記傾斜ブレードの長手方向端部の見込面又は見付面にそれぞれ固定して各傾斜ブレードを左右縦枠に支持したブレード支持金具とを備えて，上記傾斜配置した平行多数の傾斜ブレードを上記矩形枠の傾斜回動に追従して同時に傾斜回動自在としてなることを特徴とする通風ルーバーとしたものである。
【０００７】
請求項２に記載の発明は，上記に加えて，矩形枠の上下枠間に傾斜ブレードが納まるとともに上記ブレード支持金具による傾斜ブレードの固定を矩形枠内で行うようにして，外観のよい納まりを得られるものとするように，これを，上記上下横枠の見込幅を大，左右縦枠又はこれと中間縦枠の見込幅を小とし，上記縦枠固定片の回動自在の軸支固定を上記左右縦枠又はこれと中間縦枠の見付面において行うことによって，上記傾斜ブレードの見込幅を上下横枠の見込幅と略同等に配置してなることを特徴とする請求項１に記載の通風ルーバーとしたものである。
【０００８】
請求項３に記載の発明は，同じく上記に加えて，傾斜ブレードの固定を上下２箇所で行うことによって該傾斜ブレードの揺動可能性を解消してその支持を可及的確実になし得るものとするように，これを，上記傾斜ブレードを，ブレード基板の上下端に撓み防止バーを配置して形成し，上記ブレード支持金具のブレード固定片による傾斜ブレードの固定を，上記上下端の撓み防止バー長手方向端部の上下２箇所に対して行ってなることを特徴とする請求項１又は２に記載の通風ルーバーとしたものである。
【０００９】
請求項４に記載の発明は，同じく上記に加えて，ブレード支持金具のブレード固定片によるブレード基板のネジ固定を可能とするとともに該固定を可及的容易且つ位置ずれなくなし得るものとするように，これを，上記ブレード基板及びその上下端の撓み防止バーを，それぞれ押出成形材を用いたアルミ製又は合成樹脂製とし且つ上記撓み防止バーに上記ブレード固定片のネジ受用のタッピングホールを備えてなることを特徴とする請求項３に記載の通風ルーバーとしたものである。
【００１０】
本発明は，これらをそれぞれ発明の要旨として上記課題解決の手段としたものである。
【発明の効果】
【００１１】
本発明は以上のとおりに構成したから，請求項１に記載の発明は，通風ルーバーを，傾斜回動自在の矩形枠と，該矩形枠の縦枠に回動自在に固定することによって上記矩形枠の傾斜回動に追従して同時に傾斜回動自在の多数の傾斜ブレードによって構成するとともに該傾斜ブレードの矩形枠への追従を，平面Ｌ字状をなすように縦枠固定片とブレード固定片を配置したブレード支持金具を用いて，その縦枠固定片を矩形枠の縦枠に対して回動自在に軸支固定し且つブレード固定片に傾斜ブレードを固定して支持する簡易な構造によって行うようにして，傾斜地等に設置してもブレードが設置角度に応じて傾斜することによって違和感なく外観よく設置しうるようにした通風ルーバーを提供することができる。
【００１２】
請求項２に記載の発明は，上記に加えて，矩形枠の上下枠間に傾斜ブレードが納まるとともに上記ブレード支持金具による傾斜ブレードの固定を矩形枠内で行うようにして，外観のよい納まりを得られるものとすることができる。
【００１３】
請求項３に記載の発明は，同じく上記に加えて，傾斜ブレードの固定を上下２箇所で行うことによって該傾斜ブレードの揺動可能性を解消してその支持を可及的確実になし得るものとすることができる。
【００１４】
請求項４に記載の発明は，同じく上記に加えて，ブレード支持金具のブレード固定片によるブレード基板のネジ固定を可能とするとともに該固定を可及的容易且つ位置ずれなくなし得るものとすることができる。
【発明を実施するための最良の形態】
【００１５】
以下実施例を示す図面に従って本発明を更に具体的に説明すれば，Ａは通風ルーバーであり，該通風ルーバーＡは，矩形枠１と，該矩形枠１に見込方向に傾斜配置した傾斜ブレード２と，該傾斜ブレード２を矩形枠１に固定したブレード支持金具３と備えたものとしてあり，例えば支柱１５を用いて傾斜地に設置することによって採光性と通風性を備えた目隠し用のものとしてあり，本例にあって該通風ルーバーＡは，単一の矩形枠１を左右に２区分して傾斜ブレード２を左右方向に２連とするように配置したものとしてあり，また支柱１５を用いた傾斜地設置は，該通風ルーバーＡを上下２段配置したものとしてある。
【００１６】
矩形枠１は，例えば押出成形材を用いたアルミ製の上下横枠１１と左右縦枠１２及び中間縦枠１３を回動自在に軸支固定することによって傾斜回動自在とした，アルミ製のものとしてあり，このとき該矩形枠１は，その上記上下横枠１２の見込幅を大，左右縦枠及び中間縦枠１３の見込幅を小として，上記傾斜ブレード２の見込幅を上下横枠１１の見込幅と略同等に配置したものとしてあり，本例にあって縦枠１２，１３は，矩形枠１の左右端部と中間に回動自在に軸支固定して，左右縦枠１２と中間縦枠１３の３本を配置したものとし，上記矩形枠１の左右一方の縦枠１２と該中間縦枠１３間に上記２連の各傾斜ブレード２を配置したものとしてある。
【００１７】
傾斜ブレード２は，該矩形枠１の上記上下横枠１１間に上記見込方向に向けて傾斜配置した平行多数のものとしてあり，本例にあって該傾斜ブレード２は，これを，ブレード基板２１の上下端に撓み防止バー２５を配置して形成したものとしてあり，このとき本例の上記ブレード基板２１及びその上下端の撓み防止バー２５を，それぞれ押出成形材を用いた，ブレード基板２１において合成樹脂製，撓み防止バー２５において剛性に優れるようにアルミ製としてあり，該撓み防止バー２５はネジ受用のタッピングホール２９を備えたものとしてある。
【００１８】
ブレード基板２１は，本例にあってポリカーボネート，ＡＳＡ等の合成樹脂を用いて微細ピッチの屈曲を施して目隠し性を備えるように押出成形した半透明のものとし，その上下端にそれぞれ嵌合突条２２を一体成形した平板状のものとしてあり，また撓み防止バー２５は，これを，上記嵌合突条２２と対をなすとともに嵌合後に前後に傾斜することによって相互に密嵌嵌合自在とした嵌合凹条２６を一体成形したブレード基板２１と同長のバー状のものとしてある。
【００１９】
このとき本例のブレード基板２１の嵌合突条２２と撓み防止バー２５の嵌合凹条２６は，相互にスライド嵌合することによって嵌合凹条２６に対して嵌合突条２２を前後方向に傾斜揺動自在の遊嵌状の嵌合状態とし，該嵌合状態で，上記撓み防止バー２５を上記ブレード支持金具３に固定して該撓み防止バー２５を前後方向に強制回動し，これをブレード基板２１に対して傾斜配置することによって上記相互に密嵌嵌合自在としてあり，本例にあって該撓み防止バー２５の前後方向の強制回動とこれによるブレード基板２１に対する傾斜配置は，後述のようにブレード支持金具３の撓み防止バー２５の固定位置をブレード基板２１の前後且つ上下に変位した位置として，該撓み防止バー２５がブレード基板２１の延長線から前後且つ上下に位置ズレを生じるように固定することによってその傾斜配置を行なうようにしてある。
【００２０】
本例のブレード基板２１における嵌合突条２２は，該ブレード基板２１の幅方向両端の端縁から上方又は下方に広角度のＶ字状をなすように突設したＶ字状突片２３とその前後端に突出した起立片２４とを，例えば平行且つ垂直に備えることによって上向き又は下向きの断面倒Ｃ字状を呈するものとした，ブレード基板２１との関係でその表裏及び上下の勝手をなくして嵌合作業を容易化したものとしてある。
【００２１】
このとき上記撓み防止バー２５の嵌合凹条２６は，これを，上記ブレード基板２１の上下端部を挿通するように前後一方に変位した位置に前後傾斜方向に向けて広口に開口した広口開口２７と，該広口開口２７からその内側において前後方向に拡開した上記嵌合突条２２遊嵌用の遊嵌スペース２８とを備えたものとしてある。
【００２２】
即ち上記スライド嵌合を行うことによって嵌合突条２２が嵌合凹条２６の遊嵌スペース２８に遊嵌するとともに，上記ブレード支持金具３への撓み防止バー２５の変位位置の固定によって該撓み防止バー２５を強制回動して傾斜配置することにより，上記ブレード基板２１における嵌合突条２２の上記Ｖ字状突片２３が撓み防止バー２５における遊嵌スペース２８の内側上端に，各起立片２４が遊嵌スペース２８の内側下端及び内側壁面にそれぞれ強圧状に対接して，その上記密嵌の嵌合を行うようにし，これによって該撓み防止バー２５がブレード基板２１を上下端で前後方向に圧着状に挟持して，風圧等の外力に対してブレード基板２１の撓みを解消して，その高いヤング率を確保し得るようにしてある。
【００２３】
一方，ブレード支持金具３は，縦枠固定片３１及びブレード固定片３２を平面Ｌ字状に具備した，例えばアルミ又は合成樹脂の押出材，ステンレス等鋼板の折曲加工品による金属製又は合成樹脂製の金具としてあり，本例にあって上記縦枠固定片３１とブレード固定片３２とは，これを直角に配置するとともに縦枠固定片３１を，例えば矩形等適宜形状のプレート状とする一方，ブレード固定片３２を該縦枠固定片３１の一方の端縁から傾斜ブレード２側，即ち前方に向けて突出して，該傾斜ブレード２の前後に傾斜した端面を覆うように下方を幅広にし，本例にあってはその下端を上記縦枠固定片３１より下方に突出するようにして長寸とした，例えば三角形状等適宜形状のプレート状としてあり，このとき上記縦枠固定片３１及びブレード固定片３２の面内にはそれぞれ透孔を透設してあり，該透孔は上記縦枠固定片３１において面内中間部に単一箇所配置した軸支用の透孔としてあり，またブレード固定片３２において，その長手方向，即ち上下方向の両端部に２箇所配置した上記撓み防止バー２５のネジ固定用の透孔としてある。
【００２４】
このとき該ブレード固定片のネジ固定用の透孔は，その長手方向両端部における透設を，ブレード基板２１の延長線上より前後且つ上下に変位した位置に行ってあり，これによって該ネジ固定用の透孔からのネジ３４，即ちタッピングネジを，傾斜ブレード２の長手方向端部の見込面をなす撓み防止バー２５のタッピングホール２９に螺入してブレード基板２１の上下端に該撓み防止バー２５を固定することによって該撓み防止バー２５の上記強制回動とこれによるブレード基板２１に対する傾斜配置を行って，その嵌合突条２２と嵌合凹条２６の上記密嵌の嵌合を行うようにしてある。
【００２５】
通風ルーバーＡは，該ブレード支持金具３を用いて，その上記矩形枠１に多数の傾斜ブレード２を配置してこれを構成してあるところ，このとき該ブレード支持金具３は，その縦枠固定片３１を，上記矩形枠１の左右縦枠１２及び中間縦枠１３の見付面又はこれとの平行面にそれぞれ回動自在に軸支固定するととともにブレード固定片３２を上記傾斜ブレード２の端部見込面又は見付面にそれぞれ固定して各傾斜ブレード２を左右縦枠１２及び中間縦枠１３に支持したものとしてある。
【００２６】
即ちブレード支持金具３は，矩形枠１に配置する傾斜ブレード２数の２倍の数を使用して，それぞれその縦枠固定片３１を左右縦枠１２及び中間縦枠１３の，本例にあっては見付面に，例えばリベット３３で固定することによって回動自在に軸支固定し，またブレード固定片３２を，各傾斜ブレード２，特にそのブレード基板２１上下端の撓み防止バー２５長手方向端部の上下２箇所に対してネジ３４固定することによって，上記各傾斜ブレード２の支持を行ったものとしてあり，これによって上記見込幅を大とした上下横枠１１の見込幅と略同等に該上下横枠１１間に，上記中間縦枠１３を挟んで傾斜ブレード２を見込方向に傾斜して多数平行にして左右方向に２連をなすように配置したものとしてある。なお通風ルーバーＡの製造に際しては，該ブレード支持金具３の固定は，例えばブレード固定片３１を，各傾斜ブレード２上下端の撓み防止バー２５に予めネジ３４固定することによって，ブレード支持金具３を有する傾斜ブレード２を多数用意して，そのブレード支持金具３の縦枠固定片３１を左右縦枠１２及び中間縦枠１３に軸支固定するようにしてその組立を行うのが簡便である。
【００２７】
図中１４は，左右縦枠１２及び中間縦枠１３の正面側に配置した端部カバーである。
【００２８】
このように形成した通風ルーバーＡは，矩形枠１を，上下横枠１１に左右縦枠１２及び中間縦枠１３を回動自在に軸支固定して形成したことによって，該矩形枠１が傾斜回動自在となる一方，該矩形枠１に配置した平行多数の傾斜ルーバー２を，左右縦枠１２及び中間縦枠１３に縦枠固定片３１を回動自在に軸支固定したブレード支持金具３のブレード固定片３２にネジ３４固定したことによって，矩形枠１の傾斜，即ちその左右縦枠１２及び中間縦枠１３の高さの変化に応じて同じく傾斜ルーバー２長手方向に傾斜回動自在となり，従って，これを，例えば支柱１５，即ち同長の支柱を用いて傾斜地に設置すると，傾斜地の傾斜に応じて矩形枠１が傾斜回動するとともに平行多数の傾斜ブレード２が，該矩形枠１の傾斜回動に追従して同時に傾斜回動することが可能となり，これによって傾斜地等に設置しても該通風ルーバーＡは，違和感なく外観よくその設置をなし得るものとなる。
【００２９】
図示した例は以上のとおりとしたが，上記中間縦枠を用いることなく，上下横枠に左右縦枠を回動自在に軸支固定して単一区分の矩形枠を形成し，上記ブレード支持金具を用いて平行多数の傾斜ブレードを該矩形枠の左右縦枠に対して固定した単連のものとすること，左右縦枠又はこれと中間縦枠の見込を大きくして，ブレード支持金具の縦枠固定片を該左右縦枠又はこれと中間縦枠の見付面と平行な平行面，例えば見込方向中間位置に形成した固定用突片，見込方向後方に形成した裏面に対して回動自在の固定を行うようにすること，ブレード支持金具のブレード固定片を，例えば該ブレード固定片の先端に折曲部を設けて該折曲部から傾斜ブレードの長手方向端部の見付面に対して，ネジ，接着剤等適宜の固定手段によって固定するようにすること等を含めて，本発明に実施に当って，通風ルーバー，矩形枠，その横枠，縦枠，傾斜ブレード，ブレード支持金具，その縦枠固定片，ブレード固定片，必要に応じて用いるブレード基板，その上下端の撓み防止バー，タッピングホール等の各具体的形状，構造，材質，これらの関係，これらに対する付加等は，上記発明の要旨に反しない限り様々な形態のものとすることができる。
【図面の簡単な説明】
【００３０】
【図１】通風ルーバーの正面図である。
【図２】通風ルーバーの矩形枠と傾斜ブレードの固定状態を示す納まり図である。
【図３】通風ルーバーの設置状態を示す正面図である。
【図４】縦枠に対する傾斜ブレードの固定状態を示す拡大図である。
【図５】傾斜ブレードの縦断面図である。
【図６】ブレード基板の縦断面図である。
【図７】撓み防止バーの縦断面図である。
【符号の説明】
【００３１】
Ａ  通風ルーバー
１  矩形枠
１１  上下横枠
１２  左右縦枠
１３  中間縦枠
１４  端部カバー
１５  支柱
２  傾斜ブレード
２１  ブレード基板
２２  嵌合突条
２３  Ｖ字状突片
２４  起立片
２５  撓み防止バー
２６  嵌合凹条
２７  広口開口
２８  遊嵌スペース
２９  タッピングホール
３  ブレード支持金具
３１  縦枠固定片
３２  ブレード固定片
３３  リベット
３４  ネジ
【図１】
2008057236.tif 000003
【図２】
2008057236.tif 000004
【図３】
2008057236.tif 000005
【図４】
2008057236.tif 000006
【図５】
2008057236.tif 000007
【図６】
2008057236.tif 000008
【図７】
2008057236.tif 000009